(57)【特許請求の範囲】
【請求項１】
カム板が前進したときはパンチがリテーナーブロックの下面からストローク分突出し、かつカム板が後退したときはパンチがリテーナーブロック内にストローク分引込む如く構成したプレス用手動式パンチリテーナー装置において、前方上面より下方に向かって形成した深溝を設け、中央から後にかけ上面より下方に向かってスライド溝を形成したリテーナーブロックの後端に挿通ネジ孔を穿設した支持板を設け、この挿通ネジ孔に挿入したスライド軸の先端に、上部にカム板を取り付けた腕片を、スライド軸を回動させながら、前後移動可能に設けると共に、スライド軸の後部に雄ネジ部を設け、上記挿通ネジ孔に雄ネジ部を螺入可能に形設してなるカム具を設けてなることを特徴とするプレス用手動式パンチリテーナー装置。
【請求項２】
パンチセットブロックの下方に位置して、パンチの後方に２本の圧縮スプリングを突設し、パンチと圧縮スプリングの配置を平面三角形状に配置してなることを特徴とする請求項１記載のプレス用手動式パンチリテーナー装置。
【請求項３】
カム板の底部及び腕片の上部に、カム板を腕片に対して上方より着脱自在に取り付けるべく嵌合部を形設してなることを特徴とする請求項１又は２記載のプレス用手動式パンチリテーナー装置。
【請求項４】
パンチセットブロックに取り付けるパンチは、各種ツバ付パンチとすることを特徴とする請求項１・２又は３記載のプレス用手動式パンチリテーナー装置。
【請求項５】
カム板の厚みを変更することにより、ストローク長さを調整可能としてなることを特徴とする請求項１・２・３又は４記載のプレス用手動式パンチリテーナー装置。
【発明の詳細な説明】
【０００１】
【発明の属する技術分野】
この発明は、連続的に送られて来る被加工物を、順次プレス機械上に載せプレスするとき、孔をあけたり、あけなかったりするのに使用するプレス用手動式パンチリテーナー装置に関するものである。
【０００２】
【従来の技術】
従来のプレス用手動式パンチリテーナーとしては、弊社が権利を保有している実公平２−２２０８９号に記載しているような、カム板が前進したときはパンチがリテーナーブロックの下部よりカムリフト量分突出し、且つカム板が後退したときはパンチがリテーナーブロック内にカムリフト量分引込む如く構成したプレス用パンチリテーナー装置において、カム板の後端の固着垂下した腕片に操作棒を回転自在に挿通支承し、操作棒の後端にハンドルを固着すると共に、操作棒の前部に抜止め部材を固着し、且つ操作棒の前端に螺着部を設け、前記操作棒の螺着部を捻込む螺孔をリテーナーブロックに設けたことを特徴とするプレス用手動式パンチリテーナー装置が公示されている。
【０００３】
【発明が解決しようとする課題】
上記のような形態では、カム板がリテーナーブロックより突出するため誤って落下した時カム板が変形し易く、また先端の螺着部も露出しており落下時に螺字が傷付き使用できない状態になることがある。
さらに、カム板が腕片にボルトにて固着されているため、カム板交換等に手間が掛かる。
さらにまた、圧縮バネを４箇所に設けているため、コスト高となり、リテーナーブロックも必然的に大きくなってしまう問題点があった。
そして、カム板の板厚が一定のため、一定のストロークしか使用できない。
【０００４】
この発明は、上記の問題点に鑑みなされたもので、標準化された市販のパンチを使用し、落下時の衝撃にもカム板等を確実に保護できると共に、カム板を簡単に交換でき、製品を小型化できるプレス用手動式パンチリテーナー装置を提供するものである。
【０００５】
【課題を解決するための手段】
上記目的を達成するための手段として、カム板が前進したときはパンチがリテーナーブロックの下面からストローク分突出し、かつカム板が後退したときはパンチがリテーナーブロック内にストローク分引込む如く構成したプレス用手動式手動式パンチリテーナー装置において、リテーナーブロックの後端に挿通ネジ孔を穿設した支持板を設け、この挿通ネジ孔に挿入したスライド軸の先端に、上部にカム板を取り付けた腕片を回動可能に設けると共に、スライド軸の後部に雄ネジ部を設け、上記挿通ネジ孔に雄ネジ部を螺入可能に形設してなるカム具を設けてなる。
また、パンチセットブロックの下方に位置して、パンチの後方に２本の圧縮スプリングを突設し、パンチと圧縮スプリングの配置を平面三角形状に配置してなる。
さらに、カム板の底部及び腕片の上部に、カム板を腕片に対して上方より着脱自在に取り付けるべく嵌合部を形設してなる。
さらにまた、市販されている各種ツバ付パンチを使用でき、カム板の厚みを変更可能にしてなるものである。
【０００６】
【発明の実施の形態】
１はリテーナーブロックで、前方上面より下方に向かって形成した深溝１ａの溝底に、パンチ用透孔１ｂと２箇所のスプリング用取付穴１ｃを平面二等辺三角形状に形成すると共に、中央から後方にかけて上面より下方に向かってスライド溝１ｄを形成し、その上方に後述するカム板を支持する段差部１ｄ１を、上面に上板連結穴１ｄ２を４箇所、後面に４箇所の支持板連結穴１ｄ３をそれぞれ形設してなるものである。２は、パンチセットブロックであり、上記深溝１ａ内を上下動するもので、中央やや前方に後述するパンチを装着する段付パンチ孔２ａを形成すると共に、後端上面にカム板を案内する斜状の案内面２ｂを形設してなるものである。なお、段付パンチ孔２ａの形状は各種ツバ付パンチのツバの形状に合わせるものである。３は支持板で、中央に挿通ネジ孔３ａを穿設すると共に、４隅に上記支持板連結穴１ｄ３に連通する支持板連結孔３ｂを形成してなる。なお、支持板３の中央に透孔を穿設し、同位置にナットを固着した形態のものでもよい。４はカム具で、上記支持板３の挿通ネジ孔３ａに挿入したスライド軸４ａの先端に、上部に先端下部を下向傾斜状に形設した斜面４ｂ１を設けたカム板４ｂをネジ４ｂ２で取り付けた腕片４ｃをフランジ４ａ１・４ａ１にてスライド軸４ａを回動させながら前後移動可能に設けると共に、スライド軸４ａの後部に雄ネジ部４ａ２及び回動ハンドル４ｄを設け、上記挿通ネジ孔３ａに雄ネジ部４ａ２を螺入可能に形設してなるものである。なお、カム板４ｂの板厚は必要なストロークに応じて設定すればよい。５は、上記リテーナーブロック１の上面に設けた上板で、上記上板連結穴１ｄ２に連通する上板連結孔５ａを４箇所設けてある。６はパンチセットブロック２を上方に押し上げるための圧縮スプリングで、スプリング用取付穴１ｃに装着している。７は上板連結穴１ｄ２に螺入する固定ビスである。８は支持板連結穴１ｄ３に螺入する支持ビスである。９は一般に市販されているツバ付パンチである。なお、請求項１の実施例として圧縮スプリング６は必ずしも２本である必要はない。
【０００７】
上記のように構成したプレス用手動式パンチリテーナー装置の使用例について下記に述べる。打抜き加工を行わない時は、回動ハンドル４ｄを左回転させ雄ネジ部４ａ２を支持板３の挿通ネジ孔３ａより外し、後方にスライド軸４ａを移動させ、パンチセットブロック２よりカム板４ｂ１を後方に引込ます。この時、パンチセットブロック２は圧縮スプリング６により上方へ押し上げられており、同時にツバ付パンチ９も上昇している。
【０００８】
つぎに、打抜き加工を行う時、回動ハンドル４ｄを握って前方へ押し出すことにより、カム板４ｂの斜面４ｂ１がパンチセットブロック２の上面と上板５の下面の間に入り込むことによりパンチセットブロック２を下げると同時にパンチ９も下がり、最終的に回動ハンドル４ｄを右回転させ雄ネジ部４ａを支持板３の挿通ネジ孔３ａに螺入してツバ付パンチ９（パンチセットブロック２）を支持固定し、打抜き加工を行うものである。
【０００９】
つぎに他の実施例を説明する。このカム具２４は、前記と同様なスライド軸２４ａの先端に、上部に凸状嵌合部２４ｃ１を形設したスライド軸２４ａを回動させながら前後移動可能な腕片２４ｃの凸状嵌合部２４ｃ１に、上方より着脱自在に係合すべく凹状嵌合部２４ｂ１を後方下部に形設したカム板２４ｂを設けてなるものである。
【００１０】
上記カム具２４はカム板２４ｂを上方より簡単に取り付け取り外しができ、組立・交換を容易に行うものである。
【００１１】
また、他の実施例としてパンチセットブロックに取り付けるツバ付パンチにおいて、第１実施例のツバ付パンチ９はツバの底面がフラットに形成しているが、底面がテーパー状に形設したものやツバの厚い形態のもの等各種ツバ付パンチが使用できるように段付パンチ孔２ａを変更する。
さらに、カム板の厚みを変更することによりストローク長さを調整可能とし、その時リテーナーブロックの段差部を下方へ位置させる等の加工により使用できる。
【００１２】
なお、前記実施例におけるツバ付パンチは一般に市販されている各径のものが使用できるものとし、パンチセットブロックにネジを螺設し、側方より各種パンチを固定する形態のものを使用してもよい。
また、カム板の各嵌合部の形状も同様な機能を有するものであれば、他の形状でも良い。
さらに、プレス機械への取り付け方法としては、上板とリテーナーブロックに垂直孔を設けボルト等で固定するものである。
【００１３】
【発明の効果】
１、手動式でありながらカム板がリテーナーブロックより外に出ることがなく、落下時の衝撃にて変形することもない。
２、雄ネジ部をスライド軸の後部に設けることにより、落下時に床等に当って破損することもない。
３、パンチと圧縮スプリングを平面三角形状に形成することによりパンチの上下動をスムースに行うことができると共に、従来品のように圧縮スプリングを４本必要としないため、リテーナーブロックを小型にできる。
４、カム板を腕片に対して簡単に着脱でき、組立・交換時に有効である。
５、各種ツバ付パンチを使用できる。
６、カム板の厚みを変更することによりストローク長さを変更できる。
【図面の簡単な説明】
【図１】この発明の第１実施例を示すプレス用手動式パンチリテーナー装置のカム具を後方に移動させた一部縦断正面図である。
【図２】この発明の第１実施例を示すプレス用手動式パンチリテーナー装置のカム具を前方に移動させた一部縦断正面図である。
【図３】この発明の第１実施例を示すプレス用手動式パンチリテーナー装置のリテーナーブロック及び支持板の平面図である。
【図４】この発明の第１実施例を示すプレス用手動式パンチリテーナー装置の上板の平面図である。
【図５】この発明の第１実施例を示すプレス用手動式パンチリテーナー装置のパンチセットブロックの平面図である。
【図６】この発明の第２実施例を示すプレス用手動式パンチリテーナー装置のカム具の正面図である。
【図７】この発明の第２実施例を示すプレス用手動式パンチリテーナー装置のカム具の平面図である。
【符号の説明】
１−−−リテーナーブロック
１ａ−−深溝
１ｂ−−パンチ用透孔
１ｃ−−スプリング用取付穴
２−−−パンチセットブロック
２ａ−−段付パンチ孔
２ｂ−−案内面
３−−−支持板
３ａ−−挿通ネジ孔
３ｂ−−支持板連結孔
４−−−カム具
４ａ−−スライド本体
４ｂ−−カム板
４ｃ−−回動ハンドル
５−−−リテーナーブロック
５ａ−−上板連結孔
６−−−圧縮スプリング
７−−−固定ビス
８−−−支持ビス
【図１】
0004257464.tif 000002
【図２】
0004257464.tif 000003
【図３】
0004257464.tif 000004
【図４】
0004257464.tif 000005
【図５】
0004257464.tif 000006
【図６】
0004257464.tif 000007
【図７】
0004257464.tif 000008